(57)【特許請求の範囲】
【請求項１】
筒体の後端からノック部材を突出せしめた状態で配置し、そのノック部材の前方に筆記体を配置せしめた後端ノック式筆記具であって、前記筒体の下端に傾斜したカム面を形成する一方、筒体の側面に窓孔を形成すると共に、前記ノック部材には、その窓孔に係合する突起を形成し、また、前記筒体の後方部であって、前記窓孔を基点として９０度回転した側面を拡開可能としたことを特徴とする後端ノック式筆記具。
【請求項２】
前記請求項１に記載の後端ノック式筆記具であって、前記筒体の後方にスリットを形成したことを特徴とする後端ノック式筆記具。
【請求項３】
前記請求項１に記載の後端ノック式筆記具であって、前記窓孔の縦方向の長さを前記ノック部材の突起の長さより長く形成し、前記ノック部材を筒体に対して相対的に回転不能ではあるが、直線移動可能に配置したことを特徴とする後端ノック式筆記具。
【発明の詳細な説明】
【０００１】
【発明の属する技術分野】
本発明は、筒体の後端からノック部材を突出せしめた状態で配置し、そのノック部材の前方に筆記体を配置せしめた後端ノック式筆記具、例えば、後端に配置されているノック部材を押圧することによって軸体内部のボールペン体を出没させる筆記具であったり、あるいは、ノック部材が取り付けられている後軸を押圧することによって芯の繰り出しを行うシャープペンシルなどの筆記具に関する。
【０００２】
【従来の技術】
１例として、特公昭６１−５０８００号公報がある。詳述すると、後軸筒７の内部には、軸方向に移動可能なノック部材８とそのノック部材８を後方に付勢するバネ１３、並びに、前記後軸筒７に対して前後動不能ではあるが、回転自在な回転カム６などが配置されている。また、前記ノック部材８は、後軸筒７の後端開口７１から突出しているが、その脱落防止は、ノック部材８の鍔部８１が後軸筒７の後端内面に当接することによってなされている
【０００３】
【発明が解決しようとする課題】
しかしながら、上記従来の技術にあっては、比較的長い後軸筒７の内側に複数の小さな部品を入れ、組み立てなければならず、その作業が困難であり、生産性が悪いものであった。具体的には、回転カム６の上方に、バネ１３を遊嵌したノック部材８を載置し、そのノック部材８の上方から後軸筒７を被せるようにして組み立てたり、或いは、後軸筒７を逆さまにしてノック部材８を挿入し、ついで、バネ１３を挿入した後に回転カム６を嵌入することによって組み立てていた。しかし、前者の組立方法にあっては、回転カム６にバネ１３を介してノック部材８を単に載せているだけなので安定性がなく、後軸筒７を被せる際にちょっとした振れで脱落してしまったり、また、後者の組立方法にあっては、見えない後軸筒７の内部で位置合わせなどをしなければならず、これもまた、困難性を極めるものであった。
【０００４】
【課題を解決するための手段】
本発明は、上記問題点に鑑みてなされたものであり、筒体の後端からノック部材を突出せしめた状態で配置し、そのノック部材の前方に筆記体を配置せしめた後端ノック式筆記具であって、前記筒体の下端に傾斜したカム面を形成する一方、筒体の側面に窓孔を形成すると共に、前記ノック部材には、その窓孔に係合する突起を形成し、また、前記筒体の後方部であって、前記窓孔を基点として９０度回転した側面を拡開可能としたことを要旨とする。
【０００５】
【実施例】
本発明の実施の形態を図示した実施例に基づいて詳細に説明する。図１〜図７は本発明の第１実施例である。１は前軸で、その後部には、シリンダー２が螺着などの手段によって着脱自在に取り付けられている。そのシリンダー２には、３個の孔３、４、５（何れも図示されず）が形成されているが、後部は、その孔３、４、５の側面の一部が縦方向に切り欠かれている。つまり、シリンダー２の前方部は外径が円形状（円形状部９）をなしており、その円形状部９の後方には、断面が半円弧状の貫通孔６、７、８（図示されず）が形成されている。そして、その貫通孔６、７、８には、１本のシャープペンシルユニット１０と２本のボールペン１１、がコイルスプリングなどの弾撥部材１２によって後方に付勢された状態で摺動自在に配置されている。また、それらシャープペンシルユニット１０と２本のボールペン１１の後方には、パイプ１０ａ、１１ａが着脱自在に嵌着されており、また、そのパイプ１０ａ、１１ａの後端には、摺動子１３が固着されている。つまり、前記筆記体１０、１１は、シャープペンシルユニットへの芯の補充や、インキが減ったボールペンの交換を行うためにパイプ１０ａ、１１ａに着脱自在に嵌着されている。前記摺動子１３の側面には、三角形の１つの角部を頂部とする係合部１４が形成されている。符号１５は、シャープペンシルユニット１０を作動せしめるノック棒である。
【０００６】
前記シリンダー２の後端の外周部には、部分的には途切れているが、周上突起１６が形成されている。その周上突起１６には、カム筒１７の内面周状段部１８が係合しており、前記シリンダ−２に対して回転可能ではあるものの、前後動不能に取り付けられている。また、前記カム筒１７の下端には傾斜したカム面１９が形成されており、そのカム面１９の下端には、前記摺動子１３の係合部１４と係合する三角形状の凹部２０が形成されている。例えば、シャープペンシルユニット１０を突出させる場合には、シャープペンシルユニット１０に嵌着している摺動子１３の係合部１４が、前記カム筒１７の凹部２０に係合し、その（シャープペンシルユニット１０の）後退が阻止されるのである。
また、前記カム筒１７の側面の対向した２箇所には、縦方向に長い窓孔２１が形成されており、その窓孔２１を起点として９０度回転した側面には、スリット２２が形成されている。このスリット２２は、前記カム筒１７の後端部２３から対向した２箇所に形成されているが、１箇所であっても良い。
【０００７】
前記カム筒１７には、ノック部材２４がその後部を突出させた状態で取り付けられている。そのノック部材２４の前方部には、前記カム筒１７の側面の窓孔２１に係合する突起２５が対向する２箇所に形成されている。この突起２５の縦方向の長さは、前記カム筒１７の窓孔２１の長さよりも短く形成されている。つまり、前記ノック部材２４は、カム筒１７に対して回転不能ではあるが、前後動は可能なものとなっている。また、ノック部材２４の中間部には、前記カム筒１７の内径より大径の鍔部２６と、回転防止突起２７が形成されており、後端部には、螺子部２８が形成されている。尚、前記カム筒１７とノック部材２４との間には、コイルスプリングなどの弾撥部材２９が張設されており、ノック部材を常に上方に付勢している。
【０００８】
ここで、符号３０は、前記ノック部材２４やカム筒１７並びにシリンダ−２を覆うように配置された後軸であり、前記ノック部材２４は、その後軸３０に螺子３１によって固定せしめられているが、ノック部材２４の回転防止突起２７が後軸３０の後端に形成されている切欠き部に係合することによって、ノック部材２４と後軸３０との相対的な回転も確実に防止されている。
符号３２はクリップであり、前記ノック部材２４と後軸３０の後端との間に挾み込まれて固定されている。また、符号３３は前記螺子３１に着脱自在に螺着された天冠であり、消しゴム３４をカバ−している。
【０００９】
符号３５はシャープペンシルユニット１０の芯タンクで、前記ノック棒１５の先端が適宜隙間３６を形成し対向位置している。その隙間の形成は、ノック棒１５や芯タンク３５の長さ寸法のばらつきを考慮してのことである。つまり、互いに短く形成してしまった場合には、芯の繰り出し操作が行えるが、長く形成してしまった場合には、前記ノック棒１５が芯タンク３５を常に押圧した状態となってしまうのである。そして、その押圧動作により、シャ−プペンシルユニット１０の芯を把持するチャック体が解放した状態、或は、解放まではしないまでも把持力が弱まってしまい、芯の繰り出し動作が行えなくなるばかりでなく、筆記中に芯が没入してしまうといった問題が発生してしまうのである。
【００１０】
また、符号３７は、前記芯タンク３５の前端に固定されたチャック体であり、そのチャック体３７には、チャックリング３８が囲ぎょうしている。符号３９は、シャープペンシルユニット１０の外軸であり、前記パイプ１０aに対して着脱自在に取り付けられるようになっている。また、その外軸３９の前端には、先部材４０が螺着などによって取り付けられており、その先部材４０には、芯の後退を阻止する芯戻り止め部材４１が内設されている（図７参照）。
【００１１】
次に作用について説明する。
シャープペンシルユニット１０の先端の先部材４１が前軸先端より内方に収納されている状態より、突出状態（図２参照）にするには、後軸３０を右方向（或いは、左方向）に回転させると、カム筒１７とノック部材２４とが一緒に回転する。そして、前記カム筒１７の回転によって、シャープペンシルユニット１０の摺動子１３の係合部１４が前記カム筒１７のカム面１９に沿って押圧、前進せしめられ、やがて先部材４０が前軸１の先端から突出する。このとき、前記係合部１４は、カム筒１７の凹部２０に係止され（図５参照）、その後退が阻止されると共に、シャープペンシルユニット１０の後退も阻止される。
また、このとき、前述したようにノック部材２４も回転しているので、そのノック部材２４の内面突起４２が、シャープペンシルユニット１０のノック棒１５の上方に位置する。この状態で、頭冠３３（後軸３０）を押圧、前進させると、内面突起４２がノック棒１５を押圧、前進せしめ、そのノック棒１５の前進によって前記芯タンク３５が前進させられ、芯が一定長繰り出される。
【００１２】
筆記終了後、シャープペンシルユニット１０を収納したい場合には、後軸３０を左方向に回転させると、前記カム筒１７やノック部材２４が回転し、係合部１４と凹部２０との係止が解除され、弾撥部材１２の作用によってシャープペンシルユニット１０が、後退、収納される。
尚、前記の状態において、ボールペン１１を前軸１より突出させる場合には、後軸３０を右方向に回転させて突出させる。
【００１３】
次に、組み立て方法について説明する。最初に、図３に示すごとく各筆記体１０、１１に摺動子１３を圧入し、この時、シャ−プペンシル１０の摺動子１３には、ノック棒１５をも挿着する。次いで、前記の筆記体１０、１１をシリンダ−２の貫通孔６〜８に挿入せしめる。また、ノック部材２４をカム筒１７に弾撥部材２９を介して組み付けるが、この時、ノック部材２４の突起２５がカム筒１７の端面に当接し、その状態でさらに押し込むと、突起２５は、カム筒１７を押し広げようとする。この時、カム筒１７のスリット２２が押し広げられ、このスリット２２の拡開により、カム筒１７の後端が拡開せしめられることになる。こうして前記突起２５がカム筒１７の窓孔２１に係合せしめられる（図４参照）。
次に、前記の組み立てによって出来上がった２つのユニット（カムユニットＡ、シリンダ−ユニットＢ）を合体せしめ、１つのユニット（内部機構Ｃ）にする。その合体の方法としては、前記シリンダ−２に形成されている周上突起１６に、カム筒１７の内面周状段部１８を係合せしめることによってなされる（図５参照）。
【００１４】
次に、その１ユニット化された内部機構Ｃをクリップ３２が取り付けられた後軸３０の前方部分から挿入し、ノック部材２４の螺子部２８を後軸３０の後端から露出せしめる。そして、その螺子部２８に雌螺子３１を螺着し、後軸３０にクリップ３２と共に固定する（図６参照）。
最後に、消しゴム３４並びに、天冠３３を前軸１に取り付け組み立てが完了する（図１、図２参照）。
【００１５】
第２実施例を図８〜図１１に示し説明する。４２は前軸で、その後部には、シリンダー４３が螺着などの手段によって着脱自在に取り付けられている。そのシリンダー４３の側面中間部には、スリット４４が長手方向に形成されており、そのスリット４４と連設して内面大径部４５が下端部まで形成されている。また、シリンダ−４３には、摺動子４６が摺動自在に配置されているが、その摺動子４６の縦突起４７が前記スリット４４に係合することによって、シリンダ−４３に対する回転は防止されている。前記摺動子４６には、シャープペンシルユニット４８の外軸４９が嵌合しており、芯タンク５０の上方には、その芯タンク５０を押圧し、芯の繰り出し動作を行うノック棒５１が配置している。
ここで、前記摺動子４６の後部側面には、スリット５２が対向した２箇所に形成されており、また、そのスリット５２から９０度回転した周上には、窓孔５３
が形成されている。また、前記ノック棒５１には、周状の４箇所に長さの異なる長突起５４と、短突起５５とが形成されており、長突起５４は前記摺動子４６のスリット５２に、また、短突起５５は窓孔５３に係合している。尚、短突起５５の長手方向の長さは、窓孔５３の長さよりも短く形成されている。つまり、ノック棒５１は、摺動子４６に対して、回転不能ではあるが、前後動は可能になっている。
【００１６】
前記シリンダ−４３と摺動子４６との間には、カム筒５６が配置されており、そのカム筒５６には前記摺動子４６の縦突起４７に当接し、その摺動子４６を前進せしめるカム面５７が形成されている。また、カム筒５６の後方部には、前記摺動子４６に形成されているようなスリット５８と窓孔５９とが形成されている。さらに、カム筒５６には、ノック部材６０がその後部を突出させた状態で取り付けられており、そのノック部材６０の中間部には、前記カム筒５６の窓孔５９に係合する突部６１が形成されている。尚、前記カム筒４６とノック部材５１との間には、コイルスプリングなどの弾撥部材６２が張設されており、ノック部材を常に上方に付勢しているが、前記突部６２の窓孔５９への係合により、各の分解が防止されている。
また、前記ノック部材６０には、先端突出部６３が形成されており、前記ノック棒５１に形成されている突起５４に当接し得るようになっている。つまり、ノック部材６０を回転させると、ノック棒４５の突起５５の上方に先端突出部５４が位置する。
符号６４は、後軸であり、前記第１実施例と同様の手段によって前記ノック部材６０を固定している。
【００１７】
次に作用について説明する。図８の状態より後軸６４を回転させると、ノック部材６０並びに、そのノック部材に係合しているカム筒５７が回転し、摺動子４７が前進すると共にシャープペンシルユニット４８も押圧、前進せしめられ、やがてその先部が前軸４２の先端から突出する（図１１参照）。尚、この時、摺動子４６とともにノック棒５１も回転しながら前進し、ノック部材６０の先端突出部６３がノック棒５１の突起５４の上方に位置する。芯の繰り出しを行う場合には、後軸６４を押圧すれば、ノック部材６０並びに、ノック棒５１を介して芯タンク５０が押圧され、チャック体６５が前進し、所定量の芯が繰り出される。
次に組み立て方法について説明する。ノック棒５１と摺動子４６とを組み立てるときには、ノック棒５１の突起５４によって、摺動子４６のスリット５２が開くとともに、その摺動子４６の後方部が拡開され、また、ノック部材６０とカム筒５６とを組み立てるときには、ノック部材６０の突起６１によって、カム筒５６のスリット５８が開くとともに、後方部が拡開される。
【００１８】
第３実施例を図１２、図１３に示し説明する。本発明をロ−タリ−式の出没機構、一般的には、「デビットカム」と称されているカム機構に応用した実施例である。以下詳述すると、軸筒６６の中間部内側には、カム筒６７が固定されているが、前記軸筒６６と一体であっても良い。そのカム筒６７には、後端まで形成されたスリット６８（１箇所）と、窓孔６９（２箇所）とが形成されている。また、カム筒６７には、ノック部材７０がその後部を突出させた状態で取り付けられている。そのノック部材７０の中間部には、前記カム筒６７のスリット６８に挿入し、また、窓孔６９に係合する突起７１が３箇所に形成されている。尚、前記カム筒６７とノック部材６４との間には、コイルスプリングなどの弾撥部材７３が張設されており、ノック部材を常に上方に付勢している。
【００１９】
また、前記ノック部材７０の下端面には、後述する回転子を回転せしめる山形傾斜面７４が均等に複数形成されている。
回転子７５の上面には、前記カム筒６７の傾斜面７６や、ノック部材７０の山形傾斜面７４と当接し、その当接によって回転せしめられる傾斜突起７７が複数形成されている。符号７８は、ボ−ルペン体であり、前記回転子７５の前進・後退によって軸筒６６の先端から突出したり、没入したりする。
次に作用について説明する。ノック部材７０を押圧し、回転子７５を前進・回転させ、回転子７５の傾斜突起７６が前記カム筒６７の傾斜面７７に係止されると、前記ボ−ルペン体７８が突出状態となる。ここで、再び、ノック部材７０を押圧すれば、再び回転子７５が回転し、前記傾斜面７６との係止が解除され、ボ−ルペン体７８が後退し軸筒６６内に没入する。
【００２０】
次に組み立て方法について説明する。ノック部材７０とカム筒６７と組み立てるときには、カム筒６７のスリット６８によって、そのカム筒６７の後方部が拡開する。そして、この拡開動作により、ノック部材７０の突起７１をカム筒６７の窓孔６９に係合させることができる。
この例においては、ノック部材をカム筒（筒体）の後方から組み立てることができるので、ノック部材の上方に大きな人形などの装飾具をノック部材と一体に形成しても良い。
【００２１】
【発明の効果】
本発明によると、筒体の後端からノック部材を突出せしめた状態で配置し、そのノック部材の前方に筆記体を配置せしめた後端ノック式筆記具であって、前記筒体の下端に傾斜したカム面を形成する一方、筒体の側面に窓孔を形成すると共に、前記ノック部材には、その窓孔に係合する突起を形成し、また、前記筒体の後方部であって、前記窓孔を基点として９０度回転した側面を拡開可能としたので、容易に組み立てることができ、よって、生産性に優れた後端ノック式の筆記具を提供することができる。
【図面の簡単な説明】
【図１】  本発明の外観斜視図。
【図２】  本発明の縦断面図。
【図３】  組立過程を示す要部斜視図。
【図４】  組立過程を示す要部斜視図。
【図５】  組立過程を示す要部斜視図。
【図６】  組立過程を示す要部斜視図。
【図７】  本発明に使用されるシャ−プペンシルユニットの縦断面図。
【図８】  第２実施例を示す縦断面図（筆記体没入時）。
【図９】  組立過程を示す要部斜視図。
【図１０】  組立過程を示す要部斜視図。
【図１１】  作動例示す縦断面図（筆記体突出時）。
【図１２】  第３例を示す縦断面図。
【図１３】  組立過程を示す要部斜視図。
【符号の説明】
１      前軸
２      シリンダ−
３      孔
４      孔
５      孔
６      貫通孔
７      貫通孔
８      貫通孔
９      円形状部
１０    シャープペンシルユニット
１１    ボ−ルペン
１２    弾撥部材
１３    摺動子
１４    係合部
１５    ノック棒
１６    周状突起
１７    カム筒
１８    内面周状段部
１９    カム面
２０    凹部
２１    窓孔
２２    スリット
２３    後端部
２４    ノック部材
２５    突部
２６    鍔部
２７    回転防止突起
２８    螺子部
２９    弾撥部材
３０    後軸
３１    螺子
３２    クリップ
３３    天冠
３４    消しゴム
３５    芯タンク
３６    隙間
３７    チャック体
３８    チャックリング
３９    外軸
４０    先部材
４１    芯戻り止め部材
【図１】
0003837916.tif 000002
【図２】
0003837916.tif 000003
【図３】
0003837916.tif 000004
【図４】
0003837916.tif 000005
【図５】
0003837916.tif 000006
【図６】
0003837916.tif 000007
【図７】
0003837916.tif 000008
【図８】
0003837916.tif 000009
【図９】
0003837916.tif 000010
【図１０】
0003837916.tif 000011
【図１１】
0003837916.tif 000012
【図１２】
0003837916.tif 000013
【図１３】
0003837916.tif 000014